(57)【要約】      （修正有）【課題】ケース内部の湿度が高くなるのを抑制することができる吐水装置を提供する。【解決手段】吐水装置１は、水と湯の量を調節する弁１２と、弁１２の駆動制御を行う制御部２１と、を収納するケース１１を備え、ケース１１の背面には、壁８に厚み方向に貫通して設けられる貫通孔８１を介してケース１１の内部空間２５と壁８で隔てられている室外空間８２とを連通させる連通孔３２が設けられ、連通孔３２は、湿気を通過させるが水は遮断する選択透過膜３２ａを備える。【選択図】図２
2015132073.tif 000002
【特許請求の範囲】
【請求項１】
水と湯の量を調節する弁と、前記弁の駆動制御を行う制御部と、を収納するケースを備え、
前記ケースの背面には、壁に厚み方向に貫通して設けられる貫通孔を介して前記ケースの内部空間と前記壁で隔てられている室外空間とを連通させる連通孔が設けられ、
前記連通孔は、湿気を通過させるが水は遮断する選択透過膜を備えることを特徴とする吐水装置。
【請求項２】
前記ケースの底に、一定量の水の重さにより開弁する逆止弁を有する排出部が設けられることを特徴とする請求項１記載の吐水装置。
【発明の詳細な説明】
【技術分野】
【０００１】
本発明は、吐水装置に関するものである。
【背景技術】
【０００２】
従来から、水と湯の量を調節する弁と、弁を駆動制御する制御部と、が収納されるケースを備えたものが知られている。
【先行技術文献】
【特許文献】
【０００３】
【特許文献１】特開２００３−９００７２号公報
【発明の概要】
【発明が解決しようとする課題】
【０００４】
ところで、特許文献１に記載されている発明の吐水装置は、浴室という湿度が高い場所で使用されるので、ケース内部に湿気が浸入してしまう。この湿気により、制御部が破損してしまう虞があった。
【０００５】
本発明は上記従来の問題点に鑑みて発明したものであって、その目的とするところは、ケース内部の湿度が高くなるのを抑制することができる、吐水装置を提供することを課題とするものである。
【課題を解決するための手段】
【０００６】
上記課題を解決するために、本発明は、以下のような構成とする。
【０００７】
水と湯の量を調節する弁と、前記弁の駆動制御を行う制御部と、を収納するケースを備え、前記ケースの背面には、壁に厚み方向に貫通して設けられる貫通孔を介して前記ケースの内部空間と前記壁で隔てられている室外空間とを連通させる連通孔が設けられ、前記連通孔は、湿気を通過させるが水は遮断する選択透過膜を備えることを特徴とする。
【０００８】
また、前記ケースの底に、一定量の水の重さにより開弁する逆止弁を有する排出部が設けられることが好ましい。
【発明の効果】
【０００９】
本発明の吐水装置は、貫通孔を介して収納ケースの内部空間と壁で隔てられている室外空間とを連通する連通孔を備えているので、収納ケース内の湿気を逃がすことができる。また、連通孔内には選択透過膜が備えられるので、収納ケースの外部から連通孔を介して収納ケースの内部へと水が浸入し難くなる。更に、選択透過膜が備えられることにより、収納ケースの内部から連通孔を介して収納ケースの外部へと水が流出し難くなり、室外空間への漏水を防止することができる。
【図面の簡単な説明】
【００１０】
【図１】本発明の実施形態の吐水装置の収納ケースの斜視図である。
【図２】本発明の実施形態の吐水装置の断面概略図である。
【発明を実施するための形態】
【００１１】
以下、本発明を添付図面に示す実施形態に基いて説明する。
【００１２】
吐水装置１は、図１、２に示すように、水と湯の量を調整する弁１２と、弁１２の駆動制御を行う制御部２１と、を収納するケース１１を備える。ケース１１は、弁１２と制御部２１を収納する収納ケース２を備える。ケース１１は、収納ケース２を覆い外観を向上させる化粧ケース６を備える。ケース１１は、収納ケース２を化粧ケース６で覆う二重構造となっているが、収納ケース２あるいは化粧ケース６のどちらか一方のみで弁１２や制御部２１を覆う構造であってもよい。
【００１３】
吐水装置１の前面には、操作部２４ａが設けられる。操作部２４ａは、タクタイルスイッチによって押圧操作されるものである。なお、操作部２４ａは、ハンドルによって手動で回動操作されるものでもよい。この操作部２４ａは、制御部２１に電気的に接続される。制御部２１は、例えば、制御基板に実装されたマイクロプロセッサを主構成要素とする。
【００１４】
収納ケース２には、図２に示すように、制御部２１と、制御部２１に電気的に接続され駆動制御される吐水機構部２２と、が収納される。制御部２１は、操作部２４ａからの信号が入力されると、吐水機構部２２に制御信号を出力することにより、吐水機構部２２を制御する。吐水機構部２２は、流量センサ２２ａ、湯水混合弁２２ｂ、吐水用の弁２２ｃ、流路切替弁２２ｄ、を備える。なお、弁１２は、湯水混合弁２２ｂ、吐水用の弁２２ｃ、流路切替弁２２ｄ、で構成されているが、その構成は特に限定されない。
【００１５】
湯水混合弁２２ｂには、給湯管９１と給水管９２とが接続される。湯水混合弁２２ｂは、流入する湯と水の混合割合を変えて、任意の温度の吐水を生成する。湯水混合弁２２ｂは、制御部２１に電気的に接続されており、制御部２１によって制御される。
【００１６】
吐水用の弁２２ｃは、湯水混合弁２２ｂによって生成された吐水の出水・止水を切り替える。吐水用の弁２２ｃは、制御部２１に電気的に接続されており、制御部２１によって制御される。制御部２１は、流量センサ２２ａから入力された流量値に基づいて、吐水用の弁２２ｃを制御する。吐水用の弁２２ｃは、例えば電磁弁によって構成される。
【００１７】
流路切替弁２２ｄは、シャワー吐水にするか、カラン吐水にするかを切り替えるためのものである。流路切替弁２２ｄは、制御部２１に電気的に接続されており、制御部２１によってシャワー吐水とカラン吐水との切り替えが制御される。
【００１８】
吐水機構部２２は、流量センサ２２ａ、湯水混合弁２２ｂ、吐水用の弁２２ｃ、流路切替弁２２ｄの順に、上流側から配管を介して接続される。この配管は、例えば、銅管であってもよいし、フレキシブル管であってもよい。
【００１９】
収納ケース２は、図１、２に示すように、上面部２３と、側面部（図示せず）と、背面部３と、正面部２４と、底面部４と、を有する合成樹脂製の箱体に形成される。上面部２３と側面部と正面部２４と底面部４とは、一体に成形され、後方に開口する。この開口の周縁に、背面部３が固着具を介して固定される。なお、固着具は例えばビスが考えられるが、限定されない。
【００２０】
正面部２４は、上面部２３の前端から、前方に向かう程下方に位置するように傾斜して設けられる。正面部２４は、前面が前斜め上方に臨む。正面部２４には、操作部２４ａが取付けられる。
【００２１】
底面部４は、正面部２４の下端から背面部３の下端までの全長に亘って設けられる。底面部４は、側面部の下端縁に沿った断面形状をしている。底面部４は、正面部２４の下端から後方に向かって設けられる前段部４１と、前段部４１から下方に向かって設けられる連結部４２と、連結部４２から後方に向かって設けられる後段部４３と、で形成される。
【００２２】
前段部４１には、カラン吐水の吐出口４１ａが設けられる。
【００２３】
後段部４３には、給湯管９１を挿通するための孔（図示せず）と、給水管９２を挿通するための孔（図示せず）と、が設けられる。
【００２４】
後段部４３には、図１に示すように、収納ケース２内に溜まった水を排出するための排出部４３ａが設けられる。ここで、収納ケース２内に溜まった水とは、収納ケース２内の配管の破損により漏れ出た漏水や、収納ケース２と浴室内の温度の差により発生する結露水といったものが考えられる。
【００２５】
排出部４３ａは、収納ケース２内に発生した水が収納ケース２外に排出され易いように、収納ケース２の底である後段部４３に設けられることが好ましい。後段部４３は、排出部４３ａが最下点になるように傾斜していることが好ましい。この傾斜により、排出部４３ａに向かって水が流れ易くなる。排出部４３ａは、円筒状となっているが、その形状は限定されない。また、後段部４３に設けられる排出部４３ａの数は、特に限定されない。排出部４３ａから排出された水は、化粧ケース６の底面を伝い壁８の方へと移動し、化粧ケース６と壁８との間の隙間から浴室の床へと排水される。
【００２６】
排出部４３ａは、図１に示すように、一定量の水の重さにより開弁する逆止弁５を有するのが好ましい。
【００２７】
逆止弁５について、以下に一例を記載する。
【００２８】
排出部４３ａは、図１に示すように、有底状の筒からなり、側壁に上下方向に長い排出孔４３ｂを有する。
【００２９】
逆止弁５は、図１に示すように、排出部４３ａの底壁に一端が取付けられる弾性部５１と、弾性部５１の他端に取付けられる可動部５２と、で形成される。弾性部５１は、バネからなり、可動部５２を上方に押圧する。可動部５２はゴム等の軟質材からなり、排出部４３ａとの間を水密にする機能を有する。
【００３０】
例示した逆止弁５を用いた場合で、収納ケース２内に溜まった水が排出部４３ａから排出される作用について示す。
【００３１】
可動部５２は、収納ケース２内に一定量の水が溜まるまでは、弾性部５１に押され後段部４３と面一になる位置にあり、排出部４３ａを封止する。可動部５２は、収納ケース２内に一定量の水が溜まると、水の重さにより弾性部５１が下方に収縮し、可動部５２が下方に移動するので、排出部４３ａの上端の開口から水が排出部４３ａ内に流入する。そして、排出部４３ａに流入した水は、可動部５２を伝って排出孔４３ｂから排出される。
【００３２】
なお、逆止弁５は上記したものに限定されず、市場に流通し一般的に使用されている逆止弁５が用いられる。
【００３３】
また、逆止弁５が固着してしまい、収納ケース２内に溜まった水が排出されず、収納ケース２内の水が所定の高さを超えると警報を発する、漏水検知センサ４３ｃが底面部４（本実施形態では後段部４３）に設けられることが好ましい。
【００３４】
背面部３は、上面部２３と側面部と正面部２４と底面部４とで形成される後方開口の周縁に固着具により固定され、前記開口を水密的に覆う。
【００３５】
背面部３は、図１、２に示すように、後方に向かって突出して設けられる突出部３１を有する。突出部３１は、二ヵ所設けられるが、その数は限定されない。突出部３１は、円筒状となっているが、形状は限定されない。突出部３１の内部には、壁８に厚み方向に貫通して設けられる貫通孔８１を介してケース１１の内部空間２５と壁８で隔てられている室外空間８２とを連通させる連通孔３２が設けられる。なお、突出部３１が設けられず、背面部３に連通孔３２のみを設けてもよい。連通孔３２は、二ヵ所設けられるが、その数は限定されない。
【００３６】
連通孔３２は、湿気を通過させるが水は遮断する選択透過膜３２ａを備えることにより、収納ケース２内の湿気を収納ケース２外に逃がすことができる。また、収納ケース２内部を通気することができるので、収納ケース２内部に結露が発生することを防止できる。
【００３７】
連通孔３２に備える選択透過膜３２ａは、例えばフッ素樹脂等の多孔質膜といったものが考えられるが、材質は特に限定されない。選択透過膜３２ａを備えることにより、収納ケース２の外部から連通孔３２を介して収納ケース２の内部へと水が浸入し難くなる。そして、選択透過膜３２ａを備えることにより、収納ケース２の内部から連通孔３２を介して収納ケース２の外部へと水が流出し難くなり、室外空間８２への漏水を防止することができる。
【００３８】
なお、連通孔３２を複数個設けたとき、少なくとも一つの連通孔３２に選択透過膜３２ａを設け、他の連通孔３２から、制御部２１に電気的に接続される電気配線を取出してもよい。また、連通孔３２から取出せるものは電気配線に限られず、配管が取出されてもよい。連通孔３２の外縁と電気配線や配管等との間に生じる隙間に、ゴム栓やシリコーンゴム等を用いて埋めることが好ましい。これにより、電気配線や配管等を取出す連通孔３２から収納ケース２内部に水が浸入し難くなる。
【００３９】
また、連通孔３２の全てに選択透過膜３２ａを設けたとき、電気配線や配管は連通孔３２以外の場所に孔を空けてケース１１から取出す等、別の方法でケース１１から取出す。
【００４０】
化粧ケース６は、図２に示すように、収納ケース２の上面部２３と背面部３とを覆う天板部６１と、収納ケース２の側面部と底面部４とを覆う外郭部６２と、給湯管９１と給水管９２とを覆う配管カバー６３と、を備える。
【００４１】
天板部６１は、上面部２３の上に配置して設けられる天面部６１ａと、天面部６１ａの後端部から下方に突出して設けられる固定部６１ｂと、を有する。
【００４２】
固定部６１ｂは、浴室等の壁８に固定される。固定部６１ｂは、厚み方向に貫通して設けられ、突出部３１が挿通される挿通孔６１ｃを有する。挿通孔６１ｃは、二ヵ所設けられるが、その数は限定されない。なお、突出部３１が設けられない場合には、連通孔３２と挿通孔６１ｃは連通する。
【００４３】
挿通孔６１ｃの周囲には、図１に示すように、パッキン７が取付けられることが好ましい。パッキン７は、壁８に固定される吐水装置１の内部空間２５又は室外空間８２に水が浸入しないように取付けられる。パッキン７は、挿通孔６１ｃの周囲を囲むように設けられる。パッキン７は、突出部３１が挿通する孔７１と、孔７１の下方以外の周囲に設けられる溝７２と、を備えることが好ましい。パッキン７は、固定部６１ｂの外面のみに設けられてもよいし、固定部６１ｂの内面と外面との両方に設けられてもよい。
【００４４】
壁８には、図２に示すように、突出部３１が挿入される貫通孔８１が設けられる。貫通孔８１は、円状となっているが、その形状は限定されない。貫通孔８１の大きさは、突出部３１の大きさよりも大きく形成される方が好ましい。これにより、突出部３１を貫通孔８１に挿入し易くなる。
【００４５】
上記した構成の吐水装置１では、貫通孔８１を介して収納ケース２の内部空間２５と壁８で隔てられている室外空間８２とを連通する連通孔３２が設けられるので、収納ケース２内の湿気を逃がすことができる。また、連通孔３２内には選択透過膜３２ａが備えられるので、収納ケース２の外部から連通孔３２を介して収納ケース２の内部へと水が浸入し難くなる。更に、選択透過膜３２ａを備えることにより、収納ケース２の内部から連通孔３２を介して収納ケース２の外部へと水が流出し難くなり、室外空間８２への漏水を防止することができる。
【００４６】
本実施形態の吐水装置１は以下のような構成となっている。
【００４７】
吐水装置１は、水と湯の量を調節する弁１２と、弁１２の駆動制御を行う制御部２１と、を収納するケース１１を備える。ケース１１の背面には、壁８に厚み方向に貫通して設けられる貫通孔８１を介してケース１１の内部空間２５と壁８で隔てられている室外空間８２とを連通させる連通孔３２が設けられる。連通孔３２は、湿気を通過させるが水は遮断する選択透過膜３２ａを備えることを特徴とする。
【００４８】
これにより、収納ケース２内の湿気を逃がすことができる。また、連通孔３２内には選択透過膜３２ａが備えられるので、収納ケース２の外部から連通孔３２を介して収納ケース２の内部へと水が浸入し難くなる。更に、選択透過膜３２ａを備えることにより、収納ケース２の内部から連通孔３２を介して収納ケース２の外部へと水が流出し難くなり、室外空間８２への漏水を防止することができる。
【００４９】
また、ケース１１の底に、一定量の水の重さにより開弁する逆止弁５を有する排出部４３ａが設けられることが好ましい。
【００５０】
これにより、普段は逆止弁５が閉じているので湿気や水の浸入を防止でき、一定量以上の水が収納ケース２内に溜まると、逆止弁５が自動的に開き水を排出することができる。
【符号の説明】
【００５１】
１    吐水装置
１１  ケース
１２  弁
２    収納ケース
２１  制御部
２１ｂ  湯水混合弁
２１ｃ  吐水用の弁
２１ｄ  流路切替弁
２５  内部空間
３    背面部
３１  突出部
３２  連通孔
３２ａ  選択透過膜
４    底面部
４３ａ  排出部
４３ｂ  排出孔
５    逆止弁
５１  弾性部
５２  可動部
６    化粧ケース
８    壁
８１  貫通孔
８２  室外空間
【図１】
2015132073.tif 000003
【図２】
2015132073.tif 000004